(57)【要約】【課題】  本発明は、逆浸透膜フィルターで浄化された水を加圧ポンプの上流へ再供給させるように構成することによって衛生的に用いることができるとともに、造水の供給後等の一定時間、加圧ポンプを作動させることでモーターへの過負荷を回避し温度上昇を防止することができる造水供給装置を得るにある。【解決手段】  水道等の給水源からの水が供給される給水路の下流に設けられた加圧ポンプと、この加圧ポンプに接続された逆浸透膜フィルターと、この逆浸透膜フィルターの下流に設けられた注水路と、一端が前記給水路の加圧ポンプの上流に接続され他端が前記注水路に接続された循環水路とで造水供給装置を構成している。【選択図】  図１
2005111455.tif 000002
【特許請求の範囲】
【請求項１】
水道、井戸等の給水源からの水が供給される給水路と、この給水路の下流に設けられた加圧ポンプと、この加圧ポンプに接続された逆浸透膜フィルターと、この逆浸透膜フィルターの下流に設けられた、当該逆浸透膜フィルターを通過した水が供給される注水路と、一端が前記給水路の加圧ポンプの上流に接続され他端が前記注水路に接続された、当該注水路からの造水供給時には閉路状態となり、造水供給時以外では所定時間開路状態となり前記逆浸透膜フィルターを通過した水が前記加圧ポンプの上流に供給される循環水路とからなることを特徴とする造水供給装置。
【請求項２】
水道、井戸等の給水源からの水が供給される給水路と、この給水路に介装された、前記給水源からの水の不純物を除去する前処理フィルターと、この前処理フィルターの下流の給水路に設けられた第１の活性炭フィルターと、この第１の活性炭フィルターの下流の給水路に設けられた加圧ポンプと、この加圧ポンプに接続された逆浸透膜フィルターと、この逆浸透膜フィルターの下流に設けられた、当該逆浸透膜フィルターを通過した水が第２の活性炭フィルターを介して供給される、第１の分岐注水路および第２の分岐注水路を備えた注水路と、この注水路の第１の分岐注水路に介装されたミネラル分添加装置と、前記注水路に介装された紫外線殺菌装置と、一端が前記給水路の加圧ポンプの上流に接続され他端が前記注水路に接続された、前記注水路からの造水供給時には閉路状態となり、造水供給時以外では所定時間開路状態となり前記逆浸透膜フィルターを通過した水が前記加圧ポンプの上流に供給される循環水路とからなることを特徴とする造水供給装置。
【請求項３】
水道、井戸等の給水源からの水が供給される給水路と、この給水路に介装された、前記給水源からの水の不純物を除去する前処理フィルターと、この前処理フィルターの下流の給水路に設けられた第１の活性炭フィルターと、この第１の活性炭フィルターの下流の給水路に設けられた加圧ポンプと、この加圧ポンプに接続された逆浸透膜フィルターと、この逆浸透膜フィルターの下流に設けられた、当該逆浸透膜フィルターを通過した水が第２の活性炭フィルターを介して供給される、第１の分岐注水路および第２の分岐注水路を備えた注水路と、この注水路の第１の分岐注水路に介装されたミネラル分添加装置と、前記注水路に介装された紫外線殺菌装置と、一端が前記給水路の加圧ポンプの上流に接続され他端が前記注水路に接続された、前記注水路からの造水供給時には閉路状態となり、造水供給時以外では所定時間開路状態となり前記逆浸透膜フィルターを通過した水が前記加圧ポンプの上流に供給される循環水路と、前記注水路からの水を、貨幣式販売装置およびカード式販売装置のうちいずれか一の装置を用いて提供したり、両装置を併用して提供したり、両装置を用いないで提供することができる造水提供ユニットとからなることを特徴とする造水供給装置。
【請求項４】
紫外線殺菌装置は、前記注水路の注水口ノズルの上流部寸前に配されていることを特徴とする請求項２あるいは請求項３に記載の造水供給装置。
【発明の詳細な説明】
【技術分野】
【０００１】  本発明は水道水等を浄化した純水等を供給する造水供給装置に関する。
【背景技術】
【０００２】  従来、水道等の給水源からの水が供給される給水路と、この給水路の下流に設けられた加圧ポンプと、この加圧ポンプに接続された逆浸透膜フィルターと、この逆浸透膜フィルターの下流に設けられた、当該逆浸透膜フィルターを通過した水が貯水される貯水槽と、この貯水槽に貯水された水が供給される注水路とを備えた造水供給装置が用いられている。【０００３】  従来の造水供給装置は、長期間の使用により貯水槽内にカビ等が発生する恐れがあるため、食品衛生上、貯水槽から供給される水は飲料水としては認められず、調理水どまりになるという欠点があった。【０００４】  また、貯水槽を設けない場合、１回の造水供給時間は通常１分弱であるため、頻繁に造水の供給を繰り返すと、供給完了と同時に加圧ポンプが停止されたり、再度の供給と同時に加圧ポンプが作動されることになるので、加圧ポンプのモーターがサージ電流によって大幅な温度上昇をきたし、当該加圧ポンプに大きな過負荷がかかり、正常な運転ができなくなるという欠点があった。
【特許文献１】  特開平１１−２４４８９５
【発明の開示】
【発明が解決しようとする課題】
【０００５】  本発明は以上のような従来の欠点に鑑み、逆浸透膜フィルターで浄化された水を加圧ポンプの上流へ再供給させるように構成することによって、貯水槽を用いずに衛生的に用いることができるとともに、造水の供給後等の一定時間、加圧ポンプを作動させることでモーターへの過負荷を回避し温度上昇を防止することができる造水供給装置を提供することを目的としている。【０００６】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】  上記目的を達成するために、本発明は、水道、井戸等の給水源からの水が供給される給水路と、この給水路の下流に設けられた加圧ポンプと、この加圧ポンプに接続された逆浸透膜フィルターと、この逆浸透膜フィルターの下流に設けられた、当該逆浸透膜フィルターを通過した水が供給される注水路と、一端が前記給水路の加圧ポンプの上流に接続され他端が前記注水路に接続された、当該注水路からの造水供給時には閉路状態となり、造水供給時以外では所定時間開路状態となり前記逆浸透膜フィルターを通過した水が前記加圧ポンプの上流に循環される循環水路とで造水供給装置を構成している。
【発明の効果】
【０００８】  以下の説明から明らかなように、本発明にあっては次に列挙する効果が得られる。【０００９】（１）水道、井戸等の給水源からの水が供給される給水路と、この給水路の下流に設けられた加圧ポンプと、この加圧ポンプに接続された逆浸透膜フィルターと、この逆浸透膜フィルターの下流に設けられた、当該逆浸透膜フィルターを通過した水が供給される注水路と、一端が前記給水路の加圧ポンプの上流に接続され他端が前記注水路に接続された、当該注水路からの造水供給時には閉路状態となり、造水供給時以外では所定時間開路状態となり前記逆浸透膜フィルターを通過した水が前記加圧ポンプの上流に循環される循環水路とで構成されているので、水道、井戸等の給水源からの水を従来のような貯水槽で貯水することなく衛生的に供給することができる。
したがって、供給された造水は、食品衛生法上、調理水に限らず、飲料水としても用いることができる。【００１０】（２）前記（１）によって、逆浸透膜フィルターを通過した水を加圧ポンプの上流へ再供給させることができるので、造水の供給後等の一定時間、加圧ポンプを作動させることにより、モーターへの過負荷を回避し温度上昇を防止することができる。【００１１】（３）前記（２）によって、循環水路に貯留された造水を再び逆浸透膜フィルターで浄化することができるので、捨て水の無駄を抑止することができる。【００１２】（４）請求項２も前記（１）〜（３）と同様の効果が得られるとともに、第１の分岐注水路でミネラルイオンを多く含む水を、第２の分岐注水路で純水レベルの水を供給することができるので、顧客のニーズに合わせた造水を選択的に提供することができる。【００１３】（５）前記（４）によって、注水路の第１の分岐注水路および第２の分岐注水路にそれぞれ紫外線殺菌装置が設けられているので、当該注水路内に何らかの細菌類が混入したり、発生してしまった場合でも、紫外線殺菌装置で当該細菌類等を確実に死滅させることができる。
したがって、衛生的な造水を確実に供給することができる。【００１４】（６）請求項３も前記（１）〜（５）と同様の効果が得られるとともに、注水路からの造水を、貨幣式販売装置およびカード式販売装置のうちいずれか一の装置を用いて提供したり、両装置を併用して提供したり、両装置を用いないで提供することができる。
したがって、スーパーマーケット、デパート、コンビニエンスストア等において、当初、例えば、貨幣式販売装置のみを用い、顧客のニーズや店舗側の事情等により、事後的にカード式販売装置等への変更に迫られても、適宜変更することができる。
したがって、造水供給装置自体を入れ替える必要がないので、極めて経済的に用いることができる。【００１５】（７）請求項４も前記（１）〜（６）と同様の効果が得られるとともに、紫外線殺菌装置は、注水路の注水口ノズルの上流部寸前に配されているので、注水口ノズルより注水路内に何らかの細菌類が混入してしまった場合でも、確実に紫外線殺菌装置で細菌類等を死滅させることができる。
したがって、衛生的な造水を確実に供給することができる。
【発明を実施するための最良の形態】
【００１６】  以下、図面に示す本発明を実施するための最良の形態により、本発明を詳細に説明する。【００１７】  図１ないし図５に示す本発明を実施するための最良の第１の形態において、１は、水道水等を浄化した純水等の造水を供給する本発明の造水供給装置で、この造水供給装置１は、水道、井戸等の給水源からの水が供給される給水路２と、この給水路２に介装された、前記給水源からの水の不純物を除去する前処理フィルター３と、この前処理フィルター３の下流の給水路２に設けられた第一の活性炭フィルター４と、この第１の活性炭フィルター４の下流の給水路２に設けられた加圧ポンプ５と、この加圧ポンプ５に接続された逆浸透膜フィルター６と、この逆浸透膜フィルター６の下流に設けられた、当該逆浸透膜フィルター６を通過した水が第２の活性炭フィルター７を介して供給される、第１の分岐注水路８および第２の分岐注水路９を備えた注水路１０と、この注水路１０の第１の分岐注水路８に介装されたミネラル分添加装置１１と、前記注水路１０介装された、本実施の形態では第１の分岐注水路８および第２の分岐注水路９に介装された紫外線殺菌装置１２、１２Ａと、一端が前記給水路２の加圧ポンプ５の上流に接続され他端が前記注水路１０に接続された、前記注水路１０からの造水供給時には閉路状態となり、造水供給時以外では所定時間開路状態となり前記逆浸透膜フィルター６を通過した水が前記加圧ポンプ５の上流に供給される循環水路１３と、前記注水路１０からの造水を、貨幣式販売装置１４およびカード式販売装置１５のうちいずれか一の装置を用いて提供したり、両装置を併用して提供したり、両装置を用いないで提供することができる造水提供ユニット１６とで構成されている。【００１８】  前記給水路２には、その上流部に給水ポンプ１７が設けられ、水道、井戸等の給水源からの水が効率よく供給できるように構成されている。【００１９】  前記前処理フィルター３は、例えば、セディメントフィルターからなり、水道、井戸等の給水源からの水に含有された赤錆、水の濁り等の不純物をろ過するように構成されている。【００２０】  前記第１の活性炭フィルター４は、前記前処理フィルター３でろ過された水を通過させることで、当該水に含有される塩素、カビ臭、有機化合物等を吸着除去するように構成されている。【００２１】  前記加圧ポンプ５は、従来から使用されているものを用い、前記第１の活性炭フィルター４を通過した水を逆浸透膜フィルター６に供給するように構成されている。【００２２】  前記逆浸透膜フィルター６は、前記第１の活性炭フィルター４を通過した水が前記加圧ポンプ５によって供給され、当該水に含有されるバクテリア、ウィルス、発がん性物質、その他の有機化合物等を除去するように構成されている。【００２３】  前記注水路１０は、上流部に前記第１の活性炭フィルター４と同態様の第２の活性炭フィルター７が介装され、最下流部には注水口ノズル１８が取付けられている。また、その経路には第１の分岐注水路８および第２の分岐注水路９が設けられ、それぞれに電磁弁１９、１９Ａが取付けられているとともに、下流部で合流するように構成されている。【００２４】  前記ミネラル分添加装置１１は、例えば、海のミネラル分を豊富に含んだ風化造礁サンゴ粒等を充填したカートリッチ式のもので構成されている。【００２５】  前記紫外線殺菌装置１２、１２Ａは、従来から使用されているものを用い、前記注水路１０の第１の分岐注水路８の前記ミネラル分添加装置１１を通過した水および第２の分岐注水路９を通過する水をそれぞれ殺菌処理するように構成されている。
このように、前記注水路１０の第１の分岐注水路８および第２の分岐注水路９にそれぞれ紫外線殺菌装置１２、１２Ａを設けることによって、当該注水路１０内に何らかの細菌類が混入したり、発生してしまった場合でも、紫外線殺菌装置１２、１２Ａで当該細菌類等を確実に死滅させることができる。
したがって、衛生的な造水を確実に供給することができる。【００２６】  前記循環水路１３は、一端が前記給水路２の加圧ポンプ５の上流に介装されたチーズ等の分岐接続具２０に接続され、他端が前記注水路１０に介装された分岐接続具２０にそれぞれ接続されているとともに、その経路には電磁弁２１が介装され、制御装置２２によって開閉するように構成されている。
なお、前記循環水路１３は、その経路に紫外線殺菌装置１２を介装させて構成してもよい。【００２７】  前記制御装置２２は、前記注水路１０からの造水２３の供給時には、前記循環水路１３の電磁弁２１を閉塞し、前記注水路１０の第１の分岐注水路８および第２の分岐注水路９に設けられた電磁弁１９、１９Ａを選択的に開放するとともに、前記注水路１０からの造水２３の供給時以外では、前記電磁弁２１を所定時間（概ね、３〜５分が望ましい。）開放し、前記開放された電磁弁１９を閉塞するとともに、前記加圧ポンプ５を所定時間（前記電磁弁２１が開放されている間）運転させるように構成されている。【００２８】  前記造水提供ユニット１６は、造水２３を純水あるいはミネラルイオン水いずれか一方に選択して運転を開始させる造水選択ボタン２５、２５Ａを備え、ケーシング２４の所定箇所に設置されている。なお、前記造水選択ボタン２５、２５Ａは、前記制御装置２２に回路接続されている。【００２９】  また、造水提供ユニット１６は、貨幣式販売装置１４あるいはカード式販売装置１５がそれぞれ独立して作動できるように設けられ、貨幣式販売装置１４のみを用いる場合はカード式販売装置１５の電気接続を解除し、カード式販売装置１５のみを用いる場合は貨幣式販売装置１４の電気接続を解除して用いるとともに、両装置を併用する場合は両装置をともに電気接続し、両装置をいずれも用いない場合は両装置の電気接続を解除して用いることができるように構成されている。【００３０】  前記貨幣式販売装置１４は、硬貨投入口２６、紙幣投入口２７等が設けられた従来から使用されているもので構成されている。【００３１】  前記カード式販売装置１５は、造水２３の購入客に発行される各購入客の個人情報、プリペイド情報等が入力された磁気型、ＩＣチップ内臓型等のカードを読み取るカードリーダー２８を備えて構成されている。【００３２】  前記ケーシング２４は、開閉扉２９によって開閉可能に形成され、この開閉扉２９には造水２３が注入されるボトル３０を出し入れするための注水口扉３１が取付けられている。また、前記注水口扉３１に対応する部位には、前記注水路１０の注水口ノズル１８が配設された、前記ボトル３０を収納する造水供給室３２が設けられている。【００３３】  上記構成の造水供給装置１は、造水提供ユニット１６を貨幣式販売装置１４とカード式販売装置１５とを併用するタイプにした場合は、先ず、造水２３を購入する客がカードをカードリーダー２８に差し込むことで、購入者の個人情報等を認識させる。
この際、貨幣式販売装置１４の硬貨投入口２６に必要な額の硬貨を投入する等してから、購入したい造水２３の種類を選択して造水選択ボタン２５、２５Ａのいずれかを押す。なお、この場合、注水口ノズル１８付近に貯留された造水２３を排水させるように制御装置２２を設定することで、より衛生的な造水２３の供給を行うことができる。【００３４】  次に、注水口扉３１を開けてボトル３０を造水供給室３２に収納して注水口ノズル１８より造水２３を注入する。なお、この場合、ボトル３０を収納し注水口扉３１を閉じた後に注水口ノズル１８から造水２３が注水されるように制御装置２２を設定することで、効率よく造水２３の供給を行うことができる。【００３５】  造水２３の生成は、図４に示すように、水道、井戸等の給水源からの水が給水ポンプ１７によって給水路２に供給され、前処理フィルター３、第１の活性炭フィルター４で浄化処理された後、加圧ポンプ５によって逆浸透膜フィルター６でさらに浄化処理されて注水路１０に供給される。この場合、逆浸透膜フィルター４を通過した水には、水中に不純物や有害物質がほとんどなくなる代わりに、当該逆浸透膜フィルター４を通過しない水は、不純物や有害物質の溶解濃度が高くなるので、排水経路３３を通して系外に排水する。【００３６】  注水路１０に供給された水（純水レベルの水）は、第２の活性炭フィルター７で残存している臭いが吸着除去されて水の味が調えられ、その後、第１の分岐注水路８あるいは第２の分岐注水路９にそれぞれ供給される。【００３７】  第１の分岐注水路８に供給された水は、ミネラル分添加装置１１を通過することでミネラルイオン水に生成され、その後紫外線殺菌装置１２によってさらに殺菌処理された後、注水口ノズル１８に供給される。【００３８】  第２の分岐注水路９に供給された水は、紫外線殺菌装置１２Ａによってさらに殺菌処理された後、注水口ノズル１８に供給される。【００３９】  このようにして、水道、井戸等の給水源からの水を純水あるいはミネラルイオン水からなる造水２３にすることで、かかる造水２３は、衛生的に優れ、従来の調理用水としてだけでなく、飲料用としても用いることができる。【００４０】  次に、注水口ノズル１８から所定量の造水２３をボトル３０に注入して供給した後は、開放された前記注水路１０の電磁弁１９（１９Ａ）が閉塞され、循環水路１３の電磁弁２１が所定時間開放される。【００４１】  加圧ポンプ５は、注水口ノズル１８からの造水２３の供給後、直ちに停止するのではなく所定時間運転される。この場合、逆浸透膜フィルター６を通過した水は循環水路１３によって再度当該加圧ポンプ５の上流部に供給され、循環状態になる。
したがって、加圧ポンプ５のモーターに過負荷がかかる不都合を効果的に回避することができるとともに、逆浸透膜フィルター６を通過した水を再度逆浸透膜フィルター６で浄化することができる。【００４２】  なお、逆浸透膜フィルター６を通過した水の循環水路１３による循環作業は、注水口ノズル１８からの造水２３の供給後に限らず、造水２３を供給する前に所定時間行うようにしてもよい。【００４３】  また、造水提供ユニット１６は、貨幣式販売装置１４およびカード式販売装置１５を併用したものに限らず、両装置のうちいずれか一の装置のみを用いたり、両装置をいずれも用いないで使用してもよい。
このような造水提供ユニット１６を用いることにより、顧客のニーズや店舗側の事情等により、造水の提供方法を適宜変更することができるので、造水供給装置１自体を入れ替える必要がなく、極めて経済的に用いることができる。
｛発明を実施するための異なる形態｝【００４４】  次に、図６および図７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００４５】  図６に示す本発明を実施するための第２の形態において、前記本発明を実施するための最良の第１の形態と主に異なる点は、注水口ノズル１８の上流部寸前に紫外線殺菌装置１２を取付けた点で、このような紫外線殺菌装置１２を取付けた注水路１０Ａを用いて構成した造水供給装置１Ａにしても前記本発明を実施するための最良の第１の形態と同様の作用効果が得られるとともに、注水口ノズル８より注水路１０Ａ内に何らかの細菌類が混入した場合でも、当該注水口ノズル１８の上流部寸前で確実に紫外線殺菌装置１２で殺菌することができる。
したがって、衛生的な造水を確実に供給することができる。【００４６】  図７に示す本発明を実施するための第３の形態において、前記本発明を実施するための第２の形態と主に異なる点は、第１の分岐注水路８および第２の分岐注水路９の各最下流部に注水口ノズル１８、１８をそれぞれ取付けた注水路１０Ｂを用いた点で、このような注水路１０Ｂを構成した造水供給装置１Ｂにしても前記本発明を実施するための第２の形態と同様の作用効果が得られる。【００４７】  なお、本発明を実施するための各形態において、注水路１０、１０Ａ、１０Ｂは、第１の分岐注水路８および第２の分岐注水路９を設けたものについて説明したが、本発明はこれに限らず、分岐注水路を設けずに、純水レベルの造水あるいはミネラルイオン水の造水いずれかを供給するように構成してもよい。【００４８】  また、本発明を実施するための各形態において、造水供給装置１、１Ａ、１Ｂは、前処理フィルター３、第１の活性炭フィルター４、第２の活性炭フィルター７、紫外線殺菌装置１２等の浄化手段を構成したものについて説明したが、本発明はこれに限らず、少なくとも加圧ポンプ５、逆浸透膜フィルター６を備えた浄化手段であれば、どのような構成であってもよい。【００４９】  さらに、本発明を実施するための各形態において、造水供給装置１、１Ａ、１Ｂは、造水提供ユニット１６を用いたものについて説明したが、本発明はこれに限らず、当該造水提供ユニット１６を用いないで構成してもよい。
【産業上の利用可能性】
【００５０】  本発明は水道水等を浄化して純水等の造水を供給する造水供給装置を製造する産業で利用される。
【図面の簡単な説明】
【００５１】
【図１】本発明を実施するための最良の第１の形態の正面図。
【図２】本発明を実施するための最良の第１の形態の開閉扉を開けた状態の正面図。
【図３】本発明を実施するための最良の第１の形態の一部破断側面図。
【図４】本発明を実施するための最良の第１の形態の概略説明図。
【図５】循環水路の使用時の概略説明図。
【図６】本発明を実施するための第２の形態の概略説明図。
【図７】本発明を実施するための第３の形態の概略説明図。
【符号の説明】
【００５２】１、１Ａ、１Ｂ：造水供給装置、    ２：給水路、
３：前処理フィルター、            ４：第１の活性炭フィルター、
５：加圧ポンプ、                  ６：逆浸透膜フィルター、
７：第２の活性炭フィルター、      ８：第１の分岐注水路、
９：第２の分岐注水路、            １０：注水路、
１１：ミネラル分添加装置、        １２、１２Ａ：紫外線殺菌装置、
１３：循環水路、                  １４：貨幣式販売装置、
１５：カード式販売装置、          １６：造水提供ユニット、
１７：給水ポンプ、                １８：注水口ノズル、
１９、１９Ａ：電磁弁、            ２０：分岐接続具、
２１：電磁弁、                    ２２：制御装置、
２３：造水、                      ２４：ケーシング、
２５、２５Ａ：造水選択ボタン、    ２６：硬貨投入口、
２７：紙幣投入口、                ２８：カードリーダー、
２９：開閉扉、                    ３０：ボトル、
３１：注水口扉、                  ３２：造水供給室、
３３：排水経路。
【図１】
2005111455.tif 000003
【図２】
2005111455.tif 000004
【図３】
2005111455.tif 000005
【図４】
2005111455.tif 000006
【図５】
2005111455.tif 000007
【図６】
2005111455.tif 000008
【図７】
2005111455.tif 000009